(57)【要約】【課題】本発明の課題は、玄関ドア等に設けられた錠前装置を外側から迅速に解錠することのできる解錠器具を提供することにある。【解決手段】上記課題を解決するため、本発明の解錠器具１００は一対の把持爪１１、１２を有し、これらの把持爪１１、１２の間にサムターン２１０を挿入可能な先端部１０と、回転操作可能な操作部２０と、先端部１０と操作部２０とに連結され、操作部２０の回転操作に伴って先端部１０に回転動力を伝達する連結部３０と、一対の把持爪１１、１２の間からサムターン２１０を撮像可能な撮像部４０とを備えさせる。【選択図】図１
2020183674.tif 000002
【特許請求の範囲】
【請求項１】
一の把持爪と他の把持爪とを有し、これらの把持爪の間にサムターンを挿入可能な先端部と、
回転操作可能な操作部と、
前記先端部と前記操作部とに連結され、前記操作部の回転操作に伴って前記先端部に回転動力を伝達する連結部と、
前記一の把持爪と前記他の把持爪との間から前記サムターンを撮像可能な撮像部と、
を備えたことを特徴とする解錠器具。
【請求項２】
前記先端部は、前記一の把持爪と前記他の把持爪とがその先端に取り付けられる外筒体を備え、
前記撮像部は前記外筒体の内側に収容される請求項１に記載の解錠器具。
【請求項３】
前記一の把持爪又は前記他の把持爪から取り外し不能に、前記一の把持爪及び前記他の把持爪に巻回された先端輪状部を有するワイヤ部材を備え、
前記操作部を操作することにより当該ワイヤ部材が引かれ、それに伴い前記一の把持爪と前記他の把持爪との間隔が狭まる請求項１又は請求項２に記載の解錠器具。
【発明の詳細な説明】
【技術分野】
【０００１】
本発明は、解錠器具に関し、具体的には玄関ドア等に設けられた錠前装置を屋外側から解錠可能な解錠器具に関する。
【背景技術】
【０００２】
住宅の玄関ドア等の錠前装置としてサムターン錠が知られている。サムターン錠は、サムターンと称されるつまみ部を有するシリンダー錠をいう。近年、ピッキング解錠対策が施されたサムターン錠の普及が進んでいる。そのため、居住者が鍵を紛失した場合等、このようなサムターン錠を屋外から解錠することは極めて困難である。
【０００３】
居住者が鍵を紛失した場合等、非常時にサムターン錠を屋外から解錠するための器具として、例えば、特許文献１に開示の解錠器具が知られている。当該解錠器具は、中空パイプを所望の形状に折り曲げて構成した本体ケースと、本体ケース内に設けられた可撓性を備えた螺旋体と、螺旋体の先端に取り付けられた把持部と、螺旋体の基端に取り付けられた操作部とを備えている。把持部は、本体ケースに対する操作部の進退動に連動して進退動する。また、螺旋体の中空部に挿通された第１のワイヤを介して伝達される操作部からの操作動力によって開閉可能に構成されている。
【０００４】
当該解錠器具は次のようにして用いられる。まず、玄関ドア等に設けられたレンズ付覗き穴からレンズを外し、その隙間から当該解錠器具を挿入する。そして、操作部を進退動させて把持部をサムターンの位置に配置させ、操作部により操作動力を把持部に伝達して把持部によりサムターンを挟持させる。そして、操作部を回転させることで、サムターンを回転させて解錠する。
【先行技術文献】
【特許文献】
【０００５】
【特許文献１】特開２０１７−１１５２９５号公報
【発明の概要】
【発明が解決しようとする課題】
【０００６】
ところで、屋外からは玄関ドアの内側の様子を見ることはできない。近年、サムターンの種類も多様化しており、屋外からサムターンの位置や形状等を正確に把握することは困難である。そのため、上記特許文献１に開示の解錠器具では、把持部によりサムターンを挟持させるまでに時間を要する場合があり、非常時等に迅速に解錠することが困難な場合があった。
【０００７】
本発明の課題は、このような点に鑑みてなされたものであり、玄関ドア等に設けられた錠前装置を外側から迅速に解錠することのできる解錠器具を提供することにある。
【課題を解決するための手段】
【０００８】
上記課題を解決するため、本発明に係る解錠器具は、一の把持爪と他の把持爪とを有し、これらの把持爪の間にサムターンを挿入可能な先端部と、回転操作可能な操作部と、
前記先端部と前記操作部とに連結され、前記操作部の回転操作に伴って前記先端部に回転動力を伝達する連結部と、前記一の把持爪と前記他の把持爪との間から前記サムターンを撮像可能な撮像部とを備えたことを特徴とする。
【０００９】
当該解錠器具において、前記先端部は、前記一の把持爪と前記他の把持爪とがその先端に取り付けられる外筒体を備え、前記撮像部は前記外筒体の内側に収容されることが好ましい。
【００１０】
当該解錠器具において、前記一の把持爪又は前記他の把持爪から取り外し不能に、前記一の把持爪及び前記他の把持爪に巻回された先端輪状部を有するワイヤ部材を備え、前記操作部を操作することにより当該ワイヤ部材が引かれ、それに伴い前記一の把持爪と前記他の把持爪との間隔が狭まることが好ましい。
【発明の効果】
【００１１】
本発明によれば、一の把持爪と他の把持爪との間からサムターンを撮像可能な撮像部を備えているため、撮像部により撮像した画像を確認しながら、一の把持爪と他の把持爪との間にサムターンを挿入することが容易になる。そのため、鍵を紛失したときや非常時等に、玄関ドア等の外側から迅速に解錠することができる。
【図面の簡単な説明】
【００１２】
【図１】本発明の第一の実施の形態の解錠器具の外観と、その使用形態を説明するための模式図である。
【図２】図１の解錠器具につき、（ａ）は先端部の上面図（先端側から観た図）であり、（ｂ）は先端部の正面図（他の把持爪側から観た図）であり、（ｃ）は先端部の側面図であり、（ｄ）は先端部の背面図（一の把持爪側から観た図）である。
【図３】図１の解錠器具につき、（ａ）は操作部の操作により一の把持爪と他の把持爪との間隔が狭められた状態を示す側面図であり、（ｂ）は一の把持爪と他の把持爪との間隔が初期状態に戻された状態を示す側面図である。
【図４】（ａ）は本発明の第二の実施の形態の解錠器具の先端部の外観を示す斜視図であり、（ｂ）は（ａ）のＤ矢視図である。
【発明を実施するための形態】
【００１３】
まず、本発明の解錠器具１００の第一の実施の形態について、図１〜図３を参照しながら説明する。図１は、第一の実施の形態の解錠器具１００の外観と、その使用形態を説明するための模式図である。図１に示す解錠器具１００は、サムターン２１０が挿入される一対の把持爪１１，１２を備えた先端部１０と、この先端部１０を回転させるための操作を行う操作部２０と、先端部１０と操作部２０とに連結され、操作部２０の回転操作に伴って先端部１０に回転動力を伝達する連結部３０とを備えている。当該解錠器具１００は、居住者が鍵を紛失した場合や非常時の際などに、玄関ドアに設けられた錠前装置（サムターン錠）２００を解錠する際に用いられる。先端部１０及び連結部３０の外径は上記玄関ドアに設けられた覗き穴等の小さな隙間から挿入することができる程度の大きさである。この解錠器具１００を玄関ドアの覗き穴等から挿入して、一対の把持爪１１，１２の間にサムターン２１０を挿入させ、操作部２０を回転操作することで、先端部１０を介してサムターン２１０を回転させることができ、それにより錠前装置２００を解錠することができる。
【００１４】
本実施の形態の解錠器具１００は、一の把持爪１１と他の把持爪１２との間から、サムターン２１０を撮像可能な撮像部４０を備え（図２参照）、撮像部４０により撮像された画像を例えば図１に示すようにパーソナルコンピュータ３００の表示部３１０に表示させて、玄関ドア等の内側のサムターン２１０の位置や形状を確認しながら、上記操作を行うことができる。そのため、当該解錠器具１００を用いれば、鍵を紛失したときや非常時等に、玄関ドア等の外側から迅速に錠前装置２００を解錠することができる。なお、図１に示すパーソナルコンピュータ３００に代えて、図示しない携帯型情報端末の表示部に上記画像を表示させてもよく、撮像部４０により撮像した画像を表示させる機器は特に限定されるものではない。以下、各部の構成を説明する。
【００１５】
まず、図１を参照しながら連結部３０と操作部２０の構成を説明する。
連結部３０は、先端部１０及び操作部２０に連結される螺旋体３１と、当該螺旋体３１を内側に収容する中空体３２とを備えて構成される。螺旋体３１は可撓性を有する中空部材から構成されることが好ましく、引張コイルバネ又は圧縮コイルバネ等の中空弾性部材から構成されることがより好ましい。可撓性を有し弾性変形可能な部材により螺旋体３１を構成することで、図１に示すようなコの字状の中空体３２であっても、中空体３２の内側の形状に沿うようにして当該螺旋体３１を収容することができる。また、当該螺旋体３１に操作部２０及び先端部１０を連結することで、操作部２０が回転操作された際に、螺旋体３１も回転し、その回転動力を先端部１０に伝達し、先端部１０を容易に回転させることができる。
【００１６】
図１に示す例では、中空体３２は２つのＬ字状パイプ３２ａ、３２ｂと、中間パイプ３２ｃとを備えている。Ｌ字状パイプ３２ａ、３２ｂはそれぞれその一端が中間パイプ３２ｃに挿入されている。例えば、操作部２０が連結される側のＬ字状パイプ３２ａを中間パイプ３２ｃに対して回転可能に取り付け、先端部１０が連結される側のＬ字状パイプ３２ｂを中間パイプ３２ｃに対して進退可能に取り付けることが好ましい。このような構成とすれば、必要に応じて中間パイプ３２ｃに対してＬ字状パイプ３２ａを回転させることで、当該解錠器具を玄関ドアの覗き穴等から挿入する際の操作性を向上することができる。また、必要に応じて、中間パイプ３２ｃに対してＬ字状パイプ３２ｂを進退動させることで、覗き穴からサムターン２１０までの位置に応じて中空体３２の長さを調整することができる。
【００１７】
操作部２０は、上記中空体３２の外周に固定される略円盤形状の固定部２１と、当該固定部２１から所定の距離を空けて配置され、螺旋体３１に固着される回転操作部２２とを備えている。操作者は固定部２１を把持し、回転操作部２２を回転させることにより回転操作部２２の動作に連動して螺旋体３１を回転させることができる。また、操作部２０は後述する把持爪間隔調整機構１５に連結される第一レバー２３及び第二レバー２４を備えている。第一レバー２３を引く操作を行うことにより、一の把持爪１１と他の把持爪１２との間隔が狭まり、第二レバー２４を引く操作を行うことにより一の把持爪１１と他の把持爪１２との間隔が初期の間隔に戻る。
【００１８】
次に、図２及び図３を参照しながら先端部１０及び撮像部４０の構成を説明する。
撮像部４０の構成を先に説明する。図２（ａ）に示すように、撮像部４０は、一の把持爪１１と他の把持爪１２との間に設けられるレンズ部４１と、このレンズ部４１により形成された光学像又は当該光学像に基づく画像信号を伝送する信号ケーブル４２とを有している。レンズ部４１の周囲には照明が設けられており（図示略）、サムターン２１０の周囲等を照らして、操作に必要な明るさを確保することができるようになっている。なお、照明はどのようなものであってもよく、例えば、複数のＬＥＤランプを備え、レンズ部４１の周囲を取り囲むように配設された構成などを採用することができる。また、撮像部４０はその他撮像素子等（図示略）を備え、レンズ部４１により形成した光学像を撮像素子において画像信号に光電変換する。本実施の形態では、レンズ部４１は、後述する外筒体１３の内側に収容される。また、本実施の形態では、一の把持爪１１と他の把持爪１２との間にサムターン２１０が挿入されたときに、サムターン２１０がレンズ部４１に当接しないように、サムターン２１０とレンズ部４１との間は所定の間隔が確保されている。このように、レンズ部４１を一の把持爪１１と他の把持爪１２との間であって、外筒体１３の内側に収容することで、レンズ部４１のレンズ面にサムターン２１０等の他の物体が当接して、レンズ面等に傷が付くのを防止している。また、本実施の形態では、信号ケーブル４２は連結部３０の内部に挿通されており、パーソナルコンピュータ３００や図示しないタブレット型情報端末やいわゆるスマートフォン等の携帯型情報端末に接続される。
【００１９】
次に、先端部１０の構成を説明する。先端部１０は、一の把持爪１１と他の把持爪１２とを有し、一の把持爪１と他の把持爪１２とは図２（ｂ）、（ｃ）に示すように初期状態において所定の間隔を空けて対向配置されている。第一の実施の形態の解錠器具１００では、一の把持爪１１と他の把持爪１２との先端側の間隔を操作部２０に設けられた第一レバー２３を引くことにより狭めることができるように構成されている。
【００２０】
把持爪１１，１２はそれぞれ略矩形の板状部材から構成される。図１（ａ）において破線で示すように、一の把持爪１１の両側部には、当該把持爪１１の先端から所定の位置に第一ワイヤ部材１６が挿入される挿入穴１１ａ、１１ｂが設けられている（図２（ｃ）参照）。また、他の把持爪１２の両側部には、図２（ａ）及び（ｃ）に示すように、当該把持爪１２の両側から内側にそれぞれ切り欠かれ、第一ワイヤ部材１６が挿通される切欠部１２ａ、１２ｂがそれぞれ設けられている。一の把持爪１１に設けられた挿入穴１１ａ、１１ｂの位置よりも、他の把持爪１２に設けられた切欠部１２ａ、１２ｂは正面視において把持爪１１，１２の基端側に位置しており、一の把持爪１１に設けられた二つの挿入穴１１ａ、１１ｂと他の把持爪１２に設けられた二つの切欠部１２ａ、１２ｂを結ぶと、台形形状になる。
【００２１】
先端部１０は上記把持爪１１，１２の他に、外筒体１３を備え、その内側に、長尺方向に沿って、把持爪１１，１２が取り付けられる把持爪取付部１４と、把持爪間隔調整機構１５とを有する。
【００２２】
外筒体１３は略円筒形状の筒体であり、当該外筒体１３の先端側に把持爪取付部１４が固着され、当該外筒体１３の基端側に螺旋体３１が連結される。
【００２３】
把持爪取付部１４は、外筒体１３よりも外径の小さい中実部材からなり、その略中央に撮像部４０のレンズ部４１が配置される開口１４ａが形成されている。把持爪１１、１２は、当該開口１４ａの周囲に互いに対向して立設するように、その基端が当該把持爪取付部１４に取り外し不能に取り付けられる。撮像部４０は、外筒体１３の内側であって、この把持爪取付部１４の内側に形成された開口１４ａ内に収容され、信号ケーブル４２は外筒体１３の内側を通って、連結部３０の螺旋体３１の内側に挿通される。
【００２４】
このように、外筒体１３の先端には把持爪取付部１４を介して一の把持爪１１及び他の把持爪１２が取り付けられ、外筒体１３の基端には螺旋体３１が連結されているため、回転操作部２２の動作に連動して螺旋体３１が回転すると、外筒体１３、把持爪取付部１４に回転動力が伝達され、把持爪１１，１２が回転する。
【００２５】
次に、図３を参照して、把持爪間隔調整機構１５について説明する。
把持爪間隔調整機構１５は、図示しないスライド部と、スライド部の動作を規制するロック部とを備えている。スライド部には上記第一ワイヤ部材１６が連結されており、ロック部には第二ワイヤ部材１７が連結される。
【００２６】
第一ワイヤ部材１６は、図２（ａ）〜（ｃ）に示すように、他の把持爪１２の一側部に形成された第一切欠部１２ａ、一の把持爪１１の一側部に形成された第一挿入穴１１ａ、一の把持爪１１の他側部に形成された第二挿入穴１１ｂ、他の把持爪１２の他側部に形成された第二切欠部１２ｂの順に挿入されて輪形状を成す先端輪状部１６ａを有し、外筒体１３の内側において上記スライド部に連結され、その基端は螺旋体３１の内側を通って第一レバー２３に連結されている。
【００２７】
一方、第二ワイヤ部材１７は、先端側がロック部に連結され、基端側は外筒体１３の内側及び螺旋体３１の内側を通って第二レバー２４に連結される。
【００２８】
当該把持爪間隔調整機構１５では、第一レバー２３を引く操作が行われると、第一レバー２３を引く操作が行われた量に応じた長さ分だけスライド部が基端側に移動し、それに伴い、第一ワイヤ部材１６が引かれる。その結果、一の把持爪１１及び他の把持爪１２に対して取り外し不能に巻回された先端輪状部１６ａも基端側に引かれ、一の把持爪１１と他の把持爪１２との間隔が狭まる（図３（ａ）参照）。このとき、ロック部によってスライド部の先端側への移動は規制される。そのため、一の把持爪１１と他の把持爪１２との間隔が維持される。一方、第二レバー２４を引く操作が行われると、スライド部の先端側への移動が解除され、当該操作に伴って、スライド部は元の位置に戻る。その結果、先端輪状部１６ａも元の状態に戻り、一の把持爪１１と他の把持爪１２との間隔が初期の状態に戻る（図３（ｂ）参照）。
【００２９】
次に、図１〜図３を参照しながら、当該解錠器具１００を用いて、玄関ドア等に設けられた錠前装置２００を玄関ドア等の外側から解錠する方法と、そのときの当該解錠器具１００の動作について説明する。
【００３０】
まず、玄関ドア等に設けられた覗き穴からレンズ等を取り外し、その開口から解錠器具１００の先端部１０及び連結部３０を挿入する。そして、撮像部４０により撮像された画像をパーソナルコンピュータ３００の表示部３１０等に表示させ、当該画像を確認しながら、先端部１０を錠前装置２００のサムターン２１０の位置まで移動させ、一の把持爪１１と他の把持爪１２との間にサムターン２１０を挿入する（図１参照）。
【００３１】
次に、図１矢印Ａで示す方向に第一レバー２３を引くと、上述した機構により、一の把持爪１１と他の把持爪１２との間隔が狭まり、一の把持爪１１と他の把持爪１２とによりサムターン２１０を挟持させる（図３（ａ）参照）。
【００３２】
そして、サムターン２１０を一の把持爪１１と他の把持爪１２とにより挟持した後、回転操作部２２を回転操作することで、その回転動力が連結部３０の螺旋体３１、先端部１０へと伝達され、先端部１０が回転する。当該動作によりサムターン２１０が回転し、錠前装置２００が解錠する。
【００３３】
解錠後、第二レバー２４を図１矢印Ａ方向に引くと、上述した機構により、一の把持爪１１と他の把持爪１２との間隔が初期の状態に戻る。そして、サムターン２１０から当該先端部１０を取り外した後、解錠器具１００を玄関ドア等の覗き穴から引き出すことで、解錠器具１００を回収することができる。
【００３４】
上記説明した本発明の第一の実施の形態の解錠器具１００によれば、一の把持爪１１と他の把持爪１２との間に撮像部４０を備えているため、サムターン２１０を正面から撮像することができる。従って、撮像部４０により撮像した画像を確認しながら、サムターン２１０に向かって真っ直ぐに先端部１０を移動させることができるため、一の把持爪１１と他の把持爪１２との間にサムターン２１０を挿入することが容易になる。特に、本実施の形態の解錠器具１００では、一の把持爪１１と他の把持爪１２との間には、撮像部４０のレンズ部４１以外の要素、例えば、一の把持爪１１と他の把持爪１２との間隔を調整するためのスプリングバネ等の要素が存在してないため、一の把持爪１１と他の把持爪１２との間に撮像部４０のレンズ部４１を配置したときに、他の要素によって視野が遮られることがなく、サムターン２１０側を良好に撮像することができる。
【００３５】
さらに、本実施の形態の解錠器具１００では、先端部を構成する外筒体１３及び連結部３０を構成する螺旋体の内側に、撮像部４０の信号ケーブル４２を収容し、解錠器具１００を同軸ケーブル状に構成したため、当該解錠器具１００の外側に撮像部４０の信号ケーブル４２が露出せず、玄関ドアの覗き穴等小さな隙間から解錠器具１００を室内側に挿入する際に、撮像部４０の信号ケーブル４２が邪魔にならず、信号ケーブル４２に傷が付いたり、押圧されるのを防止することができる。
【００３６】
また、本実施の形態の解錠器具１００では、一の把持爪１１と他の把持爪１２との間隔を調整するための要素として、一の把持爪１１と他の把持爪１２とに巻回した先端輪状部１６ａを有する第一ワイヤ部材１６を採用したため、上記のとおり、一の把持爪１１と他の把持爪１２との間にスプリングバネ等の他の要素を配置する必要がなく、簡易な構成とすることができる。
【００３７】
そして、本実施の形態の解錠器具１００では、第一ワイヤ部材１６を引っ張ることで、一の把持爪１１と他の把持爪１２との間隔が狭まり、第二ワイヤ部材１７を引っ張ることで、一の把持爪１１と他の把持爪１２との間隔を初期状態に戻すという簡易な操作により、サムターン２１０を挟持させたり、それを解除することができる。
【００３８】
なお、上記第一の実施の形態では、第一ワイヤ部材１６の先端に設けられる先端輪状部１６ａを、第一ワイヤ部材１６が他の把持爪１２に設けられた第一切欠部１２ａ、一の把持爪１１設けられた第一挿入穴１１ａ及び第二挿入穴１１ｂ、他の把持爪１２に設けられた第二切欠部１２ｂに順に挿入されて輪状にされた構成としたが、本発明に係る輪状先端部は当該構成に限定されるものではない。本発明に係る輪状先端部は、一の把持爪又は他の把持爪から取り外し不能に、一の把持爪及び他の把持爪に巻回されることで輪状を成す構成であればよい。
【００３９】
例えば、一の把持爪１１の外側の面において第一ワイヤ部材１６を固着しておき、他の把持爪１２に設けた切欠部１２ａ、１２ｂに第一ワイヤ部材１６を引っ掛けて輪状にした構成であってもよい。このとき、他の把持爪１２において、切欠部１２ａ、１２ｂに代えて挿入穴を両側部に設け、その挿入穴に第一ワイヤ部材１６を挿入させてもよい。
【００４０】
また、第一の把持爪１１と第二の把持爪１２との間隔を調整するための構成は上記第一の実施の形態に説明した構成に限定されるものではない。例えば、一の把持爪１１の内側の面において、第一ワイヤ部材１６の先端を固着し、他の把持爪１２の略中央等に一つ挿入穴を形成し、この挿入穴に第一ワイヤ部材１６を挿入して、第一ワイヤ部材１６の他端側を引っ張ることにより、一の把持爪１１と他の把持爪１２との間隔を調整可能にしてもよい。この場合、撮像部４０の視野内に一本のワイヤが映り込むが、一本のワイヤであれば解錠作業に大きく支障を与えることがない。
【００４１】
また、初期状態において一の把持爪１１と他の把持爪１２との間隔をサムターン２１０のつまみ幅よりも小さくしておき、一の把持爪１１及び他の把持爪１２のうちいずれか一方にのみ第一ワイヤ部材１６を固着させてもよい。当該構成によれば、第一ワイヤ部材１６を引くことで、一の把持爪１１と他の把持爪１２との間隔を初期状態よりも広げることができる。この場合、一の把持爪１１と他の把持爪１２との間隔を広げた状態でサムターン２１０をこれらの間に挿入させ、その後に一の把持爪１１と他の把持爪１２との間隔を初期状態等に戻すことで、把持爪１１，１２によってサムターン２１０を挟持させることができる。
【００４２】
このように、本発明の趣旨を逸脱しない範囲において、解錠器具１００の具体的な構成は適宜変更することができる。
【００４３】
次に、図４を参照しながら本発明に係る解錠器具の第二の実施の形態を説明する。第二の実施の形態の解錠器具５００において、第一の実施の形態の解錠器具１００と同様の構成については同じ符号を付して説明を省略する。
【００４４】
図４に示す解錠器具５００は、第一の実施の形態の解錠器具１００と同様に、一の把持爪１１と他の把持爪１２とを有し、この一対の把持爪１１，１２の間にサムターン２１０を挿入可能な先端部１０と固定部２１及び回転操作部２２を備える操作部２０と、先端部１０と操作部２０とに連結され、操作部２０の回転操作に伴って先端部１０に回転動力を伝達する連結部３０と、一の把持爪１１と他の把持爪１２との間からサムターン２１０を撮像可能な撮像部４０とを備えている。
【００４５】
図４に示すように、一の把持爪１１と他の把持爪１２とは所定の間隔を空けて対向配置されている。第二の実施の形態の解錠器具５００は、第一の実施の形態の解錠器具１００と異なり、一の把持爪１１と他の把持爪１２との間隔を狭めることはできない。そのため、当該解錠器具５００は、第一の実施の形態の解錠器具１００が備える把持爪間隔調整機構１５、第一ワイヤ部材１６、第二ワイヤ部材１７、第一レバー２３、第二レバー２４などの一の把持爪１１と他の把持爪１２との間隔を調整可能にすると共に、第一ワイヤ部材１６及び第二ワイヤ部材１７を先端部１０の外筒体１３の内側に収容するための構成を備えていない。
【００４６】
サムターン２１０の形状や大きさが既知であれば、予め一の把持爪１１と他の把持爪１２との間隔を調整しておくことで、当該解錠器具５００を用いてその錠前装置２００を解錠することができる。
【００４７】
第二の実施の形態の解錠器具５００は、第一の実施の形態の解錠器具１００と比較すると簡易な構成であるため、解錠器具５００の製造に要するコストを低減することができる他、先端部１０及び連結部３０の内側に第一ワイヤ部材１６及び第二ワイヤ部材１７を収容する必要がないため、先端部１０及び連結部３０の外径を小さくすることができる。そのため、玄関ドアにより小さな隙間しか存在しない場合でも当該解錠器具を挿入して、錠前装置２００を解錠することができる。
【００４８】
また、サムターン２１０の種類に応じて、一の把持爪１１及び他の把持爪１２の形状や両者の間隔を適宜調整した先端部１０を複数種類用意しておき、連結部３０に対して先端部１０を脱着自在に構成すれば、一の把持爪１１と他の把持爪１２との間隔を調整することができなくても、適宜、適切な先端部１０に交換することで、サムターン２１０のつまみ幅等が異なっても、当該解錠器具５００を用いて錠前装置２００を解錠することができる。
【００４９】
また、上記第一の実施の形態及び第二の実施の形態では、撮像部４０は信号ケーブル４２を備え、有線で画像データをパーソナルコンピュータ３００に送信するものとしたが、上記解錠器具１００，５００において、撮像部４０は無線により画像データをパーソナルコンピュータ３００等に送信する構成であってもよい。この場合、先端部１０及び連結部３０の内部に信号ケーブル４２を収容させる必要がないため、先端部１０及び連結部３０を小径化することができ、より小さな隙間から当該解錠器具１００，５００を挿入させることができる。
【００５０】
さらに、上記第一の実施の形態及び第二の実施の形態では、撮像部４０により撮像した画像データをパーソナルコンピュータ３００の表示部３１０に表示させるものとしたが、上述したとおり、当該パーソナルコンピュータ３００に代えて、いわゆるスマートフォンやタブレット型端末等の携帯型情報端末の表示部等に表示させるようにしてもよいのは勿論である。
【符号の説明】
【００５１】
１０    ：先端部
１１    ：把持爪（一の把持爪）
１１ａ  ：挿入穴（第一挿入穴）
１１ｂ  ：挿入穴（第二挿入穴）
１２    ：把持爪（他の把持爪）
１２ａ  ：切欠部（第一切欠部）
１２ｂ  ：切欠部（第二切欠部）
１３    ：外筒体
１４    ：把持爪取付部
１５    ：把持爪間隔調整機構
１６    ：第一ワイヤ部材（ワイヤ部材）
１６ａ  ：先端輪状部
２０    ：操作部
３０    ：連結部
３１    ：螺旋体
４０    ：撮像部
４１    ：レンズ部
４２    ：信号ケーブル
１００  ：解錠器具
２００  ：錠前装置
２１０  ：サムターン
５００  ：解錠器具
【図１】
2020183674.tif 000003
【図２】
2020183674.tif 000004
【図３】
2020183674.tif 000005
【図４】
2020183674.tif 000006